(57)【要約】【目的】針も糸も使用せず、誰でも簡単に取り付けられるボタンを提供すること、及び、全部又は表面模様のみの変更が可能なボタンを提供することである。【構成】ボタン本体（２，３）を上下方向にくり抜き、形成された筒（２１，３４）を利用して上下から固定金具（４，５）で固定してなることを特徴とするボタンである。前記上下固定金具（４，５）による固定方法は、例えば、一方の雄ねじ（５１）と他方の雌ねじ（４１）の組み合わせである。前記ボタン本体（２，３）及び前記上下固定金具（４，５）のうち、生地（６）と接触する部分には滑り止め（５５）を施すのが好ましい【選択図】図２
2004121576.tif 000002
【特許請求の範囲】
【請求項１】
ボタン本体（２，３）を上下方向にくり抜き、形成された筒（２１，３４）を利用して上下から固定金具（４，５）で固定してなることを特徴とするボタン。
【請求項２】
前記上下固定金具（４，５）による固定方法が、一方の雄ねじ（５１）と他方の雌ねじ（４１）の組み合わせである請求項１記載のボタン。
【請求項３】
ボタン本体が、分離可能な表面模様部分（２）と主要部（３）からなり、表面模様部分（２）単独の取り替えが可能な請求項１又は２記載のボタン。
【請求項４】
前記ボタン本体（２，３）及び前記上下固定金具（４，５）のうち、生地（６）と接触する部分に少なくとも部分的な滑り止め（５５）が施されている請求項１ないし３のいずれかに記載のボタン。
【発明の詳細な説明】
【０００１】
【発明の属する技術分野】
本発明は縫い糸を使用しないで生地に取り付けられるボタン及び表面模様の変更が可能なボタンに関する。
【０００２】
【従来の技術】
従来、ボタンの変更といえば、ボタン全体を付け替えることを意味していた。そのためには、古いボタンを古い縫い糸と共に取り去り、新しい縫い糸で新しいボタンを取り付けていた。
【０００３】
【発明が解決しようとする課題】
上記方法においては、ボタン本体の一部又は全部を取り替える作業は、手近に針や縫い糸がないときにはできないし、またそのような裁縫作業自体が苦手な人も多い。
【０００４】
本発明の第１の目的は、針も糸も使用せず、誰でも簡単に取り付けられるボタンを提供することである。第２の目的は全部又は表面模様のみの変更が可能なボタンを提供することである。
【０００５】
【課題を解決するための手段】
本発明のボタンは、ボタン本体を上下方向にくり抜き、形成された筒を利用して上下から固定金具で固定してなることを特徴とする。
【０００６】
【発明の実施の態様】
ボタン本体は、通常、表面模様部分と、受け部と、脚部を有する。それぞれ別成形の部品でもよいし、任意部分で一体成形されていてもよい。ボタン本体を分離可能な表面模様部分と主要部から形成するとき、表面模様部分単独の取り替えを可能とすることが好ましい。
【０００７】
表面模様部分における「模様」には模様、文字、絵、色彩、それ自体の形状を含む。
【０００８】
上下固定金具は、ボタン本体を上下方向に貫いて両者を固定する。固定方法は、一方の雄ねじと他方の雌ねじの組み合わせが好ましいが、その他の方法、例えば、永久磁石同士の組み合わせでもよい。上下固定金具の少なくとも一方にプラスチックを使用したときにはプラスチックの弾性を利用してスナップばめとすることもできる。
【０００９】
一方の雄ねじと他方の雌ねじの組み合わせとしたときには、ねじ回転用ドライバーのヘッドを受け入れるためのマイナス（−）形溝又はプラス（＋）形溝を上下固定金具のいずれかの表面に設けるのが好ましい。通常は外部からは見えない下固定金具の表面に設けられるであろう。ドライバーがなくても固定金具を回転させられるように、溝はコインの縁が挿入できる広幅マイナス（−）形溝とするのが好ましい。
【００１０】
ボタン本体又は上下固定金具の内、生地と接触する部分には細かい凹凸などの滑り止めを設けるのが好ましい。
【００１１】
【実施例】
図１は本発明の１実施例に係るボタンの斜視図であり、図２は断面図、図３は展開図である。
【００１２】
このボタン１は、表面模様部分２と主要部３からなるボタン本体を上下の固定金具４，５で固定している。布生地６に対しては、主要部３と下固定金具４，５の間で挟み込んで取り付けられる。
【００１３】
表面模様部分２は、図２，３に示すように、中央に穴２１をあけた薄い金属円板で端部２２，２３が起立しているため、全体は穴のあいた皿を伏せたような形である。
【００１４】
主要部３は、図２，３に示すように、皿状の受け部３１と比較的長い脚部３２とが一体成形されている。受け部３１は中央部３３が肉厚になっているとともに、脚部３２につながる中心部分でくり抜かれて筒３４となっている。
【００１５】
上下固定金具４，５は、表面模様部分２の穴２１と主要部３の筒３４を利用して取り付けられる。
【００１６】
上固定金具４は、図２，３に示すように、内部をねじ切り（雌ねじ４１）した筒４２を円板型の上蓋４３で一体的に覆ったものであり、上蓋４３の直径は表面模様部分の穴２１の直径よりも大きい。
【００１７】
下固定金具５は、図２，３に示すように、先端だけをねじ切り（雄ねじ５１）した金属棒５２に円板型の下蓋５３を一体的に取り付けものであり、下蓋５３の表面にはねじ回転用ドライバーのヘッドを受け入れるためのマイナス（−）形溝５４又はプラス（＋）形溝が設けられている。ボタンが比較的に大型であるときには、ドライバーがなくても下固定金具が回転させられるように、溝はコインの縁が挿入できる広幅マイナス（−）形溝５４とするのが好ましい。下蓋５３の生地接触部分は、図３に示すように、細かな凹凸からなる滑り止め５５が設けられていて、生地６に対してボタンが不用意に回転するのを阻止する。滑り止めは脚部３２の底面にも設けるのが好ましい（図示せず）。
【００１８】
各部品を組み立てるには、表面模様部分２の穴２１に上固定金具の筒４２を差し込み、その状態で表面模様部分２を主要部３に載置する。最後に生地６を挟んで下固定金具の雄ねじ５１を上固定金具の筒の雌ねじ４１にドライバーやコインを使用してしっかりと挿入する。
【００１９】
上記説明からすでに明らかなように、本発明のボタンは糸で生地に縫い合わせておらず、ドライバーやコインを使用して上下固定金具により生地に固定することができる。従って、縫い糸や針がなくてもボタンを生地に取り付けることができる。
【００２０】
さらに、ドライバーやコインを使用して上下固定金具の係合をはずせば、各部品は図３の状態に分解されるので、この状態で、表面模様部分だけ又はボタン本体全部を取り替えるのは容易である。
【００２１】
【発明の効果】
本発明は、ボタン本体を上下から固定金具で固定してなることを特徴とするボタンであるから、次のような効果を有する。
（１）縫い糸を使用しないでも生地に取り付けられる。
（２）ボタン本体をそのままにして表面模様部分だけを変更することができる。（３）ボタン本体全部の変更も容易である。
【図面の簡単な説明】
【図１】本発明の１実施例に係るボタンの斜視図である。
【図２】本発明の１実施例に係るボタンの断面図である。
【図３】本発明の１実施例に係るボタンの展開図である。
【符号の説明】
１　　　　　　　ボタン
２　　　　　　　表面模様部分
２１　　　　　穴
２２　　　　　端部
３　　　　　　　主要部
３１　　　　　受け部
３２　　　　　脚部
３３　　　　　中央部
３４　　　　　筒
４　　　　　　　上固定金具
４１　　　　　雌ねじ
４２　　　　　筒
４３　　　　　上蓋
５　　　　　　　下固定金具
５１　　　　　雄ねじ
５２　　　　　金属棒
５３　　　　　下蓋
５４　　　　　溝
５５　　　　　凹凸部分
６　　　　　　　生地
【図１】
2004121576.tif 000003
【図２】
2004121576.tif 000004
【図３】
2004121576.tif 000005